(57)【要約】【課題】  ＩＥＥＥ１３９４シリアルバスを基幹とするネットワークで接続された複数の電気機器を１つの遠隔制御装置によって制御可能にするシステムを提供する。遠隔制御装置はすべての電気機器の動作を予め認識しておく必要が無く、制御を行うための通信手段を共通化して実装することによって新しい電気機器がネットワークに接続された場合でも制御を行うことができる。【解決手段】  ＩＥＥＥ１３９４シリアルバスを基幹とするネットワークに複数の電気機器が接続されている場合に制御可能な遠隔制御装置において、各電気機器と通信するための物理的な通信経路と非接触の通信経路を提供し、それぞれの通信経路を介して各電気機器と通信する手段と、その通信によって制御するためのグラフィカルユーザインターフェース（ＧＵＩ）を制御対象の電気機器より取得し、さらにそのＧＵＩを液晶画面に表示する。【選択図】  図１
2006246021.tif 000002
【特許請求の範囲】
【請求項１】
電気機器を制御可能な遠隔制御装置において、各電気機器と通信するための物理的な通信経路と非接触の通信経路を有し、通信経路を介して各機器を制御する手段を有し、制御するための機構を液晶画面によって使用者に通知する手段を有し、使用者が遠隔制御を行うための入力手段を有し、液晶画面に表示する画像データ（以降：ＧＵＩ）を各電気機器から通信経路によって取得する手段を有する遠隔制御装置。
【請求項２】
請求項１記載の遠隔制御装置において、制御対象となる電気機器から取得したＧＵＩを記録保存するための手段を有する遠隔制御装置。
【請求項３】
請求項１記載の遠隔制御装置において、制御対象となる電気機器の探索を非接触の通信経路で行うことを特徴とする遠隔制御装置。
【請求項４】
請求項１記載の遠隔制御装置において、制御対象となる電気機器から物理的な通信経路によってＧＵＩデータを受信することを特徴とする遠隔制御装置。
【請求項５】
請求項４記載の遠隔制御装置において、ＩＥＥＥ１３９４シリアルバスによって接続された制御対象となる電気機器から“Ａｓｙｎｃｈｒｏｎｏｕｓ  Ｃｏｎｎｅｃｔｉｏｎ”によってＧＵＩデータをＩＥＥＥ１３９４シリアルバス経由で転送することを特徴とする遠隔制御装置。
【請求項６】
請求項１記載の遠隔制御装置において、制御するための信号を物理的な通信経路で制御対象となる電気機器に送信することを特徴とする遠隔制御装置。
【請求項７】
請求項１記載の遠隔制御装置において、ＩＥＥＥ１３９４シリアルバスによって接続された制御対象となる電気機器に、制御信号をＩＥＥＥ１３９４シリアルバス経由で送信することを特徴とする遠隔制御装置。
【請求項８】
請求項２記載の遠隔制御装置において、既に制御対象となる電気機器を制御するためのＧＵＩデータを着脱可能記録部に記録している場合に、新たにＧＵＩデータをダウンロードする必要がなく、制御対象となる電気機器を認識した時点で着脱可能記録部より、その電気機器を制御するためのＧＵＩを読み出して、すぐに制御を開始できることを特徴とする遠隔制御装置。
【請求項９】
請求項３記載の遠隔制御装置において、制御対象となる電気機器からの非接触の通信経路で送信されている探索信号を遠隔制御装置が受信することによって、制御対象となる電気機器の存在を認識することを特徴とする遠隔制御装置。
【請求項１０】
請求項３記載の遠隔制御装置において、制御対象となる電気機器に対して非接触の通信経路で探索信号を送信することによって、制御対象となる電気機器の存在を認識することを特徴とする遠隔制御装置。
【請求項１１】
請求項１記載の遠隔制御装置において、物理的な通信経路が接続されていないときには、非接触の通信経路によって制御信号を送信することを特徴とする遠隔制御装置。
【請求項１２】
電気機器を制御可能な遠隔制御装置において、各電気機器と通信するための物理的な通信経路と非接触の通信経路を有し、通信経路を介して各機器を制御する手段を有し、制御するための機構を液晶画面によってユーザに通知する手段を有し、液晶画面に表示する画像データ（以降：ＧＵＩ）を各電気機器から通信経路によって取得する手段を有し、制御対象となる電気機器から取得したＧＵＩを記録保存するための手段を有し、記録しておいたＧＵＩデータを使用者が使いやすいようにカスタマイズして使用できることを特徴とする遠隔制御装置。
【請求項１３】
電気機器を制御可能な遠隔制御装置において、各電気機器と通信するための物理的な通信経路と非接触の通信経路を有し、通信経路を介して各機器を制御する手段を有し、制御するための機構を液晶画面によってユーザに通知する手段を有し、液晶画面に表示する画像データ（以降：ＧＵＩ）を各電気機器から通信経路によって取得する手段を有し、制御対象となる電気機器から取得したＧＵＩを記録保存するための手段を有し、遠隔制御をするための入力手段としてタッチパネルを有する遠隔制御装置。
【発明の詳細な説明】
【技術分野】
【０００１】
本発明は、ネットワークに複数の電気機器が接続されている場合に制御可能な遠隔制御装置に関する。
【背景技術】
【０００２】
従来、電気機器を制御する場合には、電気機器ごとに遠隔制御装置が必要であった。
【０００３】
このため複数の電気機器を制御するような場合には、各電気機器を制御するための、遠隔制御装置が複数必要となるため使用者に大きな負担となっている。
【０００４】
また、１つの遠隔制御装置で複数の電気機器の制御を兼用するようなシステムも存在するが、その場合制御する電気機器は制御する製品が限られてしまう。
【０００５】
また、遠隔制御装置内のメモリを変更して各電気機器を制御するようなシステムも存在するが、ユーザが意図的に遠隔制御装置内のメモリを変更しないかぎり単一の電気機器しか制御できず、さらに特徴的な機能を持った電気機器に関しては、汎用的な制御機構しか持たない遠隔制御装置では、たとえメモリの内容を変更したとしても制御することは困難である。
【０００６】
又、従来例としては、例えば特許文献１と特許文献２と特許文献３をあげることができる。
【特許文献１】特開2002-223385号公報
【特許文献２】特表2001-512297号公報
【特許文献３】特WO01/065802号公報
【発明の開示】
【発明が解決しようとする課題】
【０００７】
従って、本発明では上記のように使用者に遠隔制御装置を複数使用させることによる発生する負荷をなくすために、複数の電気機器を単一の遠隔制御装置で制御できることを実現し、かつ制御する電気機器に応じて使用者が現在、どの機器を制御しているかを視覚的に提示する手段を提供する。
【課題を解決するための手段】
【０００８】
上記課題を解決するためには、電気機器ごとに異なるグラフィカルユーザインターフェイス（以降：ＧＵＩ）を備えるような遠隔制御装置が望ましい。そこでユーザインターフェイスとして液晶表示画面を有し、制御する電気機器毎にＧＵＩを変更するような機構を備える。またＧＵＩを使用者が意図的に変更する場合もあるが、日常の使用状況を鑑みると、使用する電気機器に遠隔制御装置を向けた瞬間に制御できるようになることが望ましい。
【０００９】
そこで、電気機器に対して制御装置を向けた瞬間に認証を行い、制御する電気機器のためのＧＵＩを電気機器から通信経路によって取得し、それを液晶画面に表示することによって、使用者はその遠隔制御装置が何であるかを考えることなく使用できる。
【発明の効果】
【００１０】
本発明により、複数の電気機器を制御する状況において使用者は、複数の遠隔制御装置（図３−１）を保持する必要がなくなる。これにより、制御装置の管理が不要となり、使用者は効率良く作業を行うことができる。また制御装置を制御対象となる電気機器に向けることによって制御するという従来通りの概念での制御方法により今までと同じように違和感なく各電気機器を制御することができる。また、ＧＵＩをそれぞれ使用するユーザごとに変えることによって、老若男女問わず直感的に各電気機器の制御が可能となる。
【発明を実施するための最良の形態】
【００１１】
図１は本発明の電気的構成を示すブロック図である。
【００１２】
図１−１は、本発明の遠隔制御装置の全機能を制御するための制御部である。図１−２は制御対象の電気機器から取得した操作のためのＧＵＩデータを保存しておくための着脱可能記録部であり、これにより請求項２記載の制御対象となる電気機器から受信したＧＵＩデータを記録しておく手段が実現される。図１−３の外部入力により請求項１記載の使用者が遠隔制御をするための入力手段を提供する。図１−４は取得したＧＵＩを表示するための表示画面であり、これにより請求項１記載の液晶画面にＧＵＩを表示して制御するための機構を使用者に通知する手段が実現される。図１−５は、図１−１の制御部がデータを一時的に保管したり、また図１−４の表示部のフレームバッファとして使用される。図１−６は外部と通信する際に必要となる。各通信経路ごとの通信方式に基づいてデータやコマンドを生成、送信する通信部である。図１−７は物理的な通信経路を接続するためのＩＥＥＥ１３９４規格のインターフェイスである。図１−６と図１−７によって、請求項１記載の各電気機器と通信するための物理的な通信経路と非接触の通信経路、通信経路を介して各機器を制御する手段、液晶画面に表示するＧＵＩを各電気機器から通信経路によって取得する手段、および請求項４記載の制御対象となる電気機器から物理的な通信経路によってＧＵＩデータを受信する手段、および請求項５記載のＩＥＥＥ１３９４シリアルバスによって接続された制御対象となる電気機器から“Ａｓｙｎｃｈｒｏｎｏｕｓ  Ｃｏｎｎｅｃｔｉｏｎ”によってＧＵＩデータをＩＥＥＥ１３９４シリアルバス経由で転送する手段、および請求項６記載の制御するための信号を物理的な通信経路で制御対象となる電気機器に送信する手段、および請求項７記載のＩＥＥＥ１３９４シリアルバスによって接続された制御対象となる電気機器に、制御信号をＩＥＥＥ１３９４シリアルバス経由で送信する手段が実現される。図１−８は非接触の通信経路として使用される赤外線のインターフェイスである。図１−６と図１−８によって、請求項３記載の制御対象となる電気機器の探索を非接触の通信経路で行う手段、および請求項９記載の制御対象となる電気機器からの非接触の通信経路で送信されている探索信号を遠隔制御装置が受信することによって、制御対象となる電気機器の存在を認識する手段、および請求項１０記載の制御対象となる電気機器に対して非接触の通信経路で探索信号を送信することによって、制御対象となる電気機器の存在を認識する手段、および請求項１１記載の物理的な通信経路が接続されていないときには、非接触の通信経路によって制御信号を送信する手段が実現される。
【００１３】
図２は本発明の遠隔制御装置によって制御される電気機器の概念的な電気的構成を示すブロック図である。
【００１４】
図２−１は、制御対象となる電気機器の全機能、もしくは１部の機能を制御するための動作制御部である。図２−２は図１−６と同様に、各通信経路ごとの通信方式に基づいてデータやコマンドを生成、送信する通信部である。図２−３は図１−７と同様に、物理的な通信経路を接続するためのＩＥＥＥ１３９４規格のインターフェイスであり、図２−４は図１−８と同様に非接触の通信経路として使用される赤外線のインターフェイスである。図２−５は、遠隔制御装置によって制御される際に遠隔制御装置が必要となるＧＵＩデータを記録しておく、本発明の遠隔制御装置を使用する場合は、図２で示される構成で制御対象となる電気機器が作られている必要がある。
【００１５】
図３は、本発明の遠隔制御装置および、制御対象となる電気機器がＩＥＥＥ１３９４シリアルバスによって接続されている状態を示している。
【００１６】
図３−１は本発明の遠隔制御装置であり、図３−２、３、４、５、６は制御対象となる電気機器の例でありそれぞれエアコン、Ａｕｄｉｏ機器、チューナー、デジタルテレビ、据え置き型デジタルビデオを示している。図３−７はＩＥＥＥ１３９４シリアルバスを分岐させるためのリピータである。
【００１７】
本発明の遠隔制御装置は図３のように接続されて使用されるが、ＩＥＥＥ１３９４シリアルバスに接続されていない状態でも、図１−２の着脱可能記録部に制御対象のＧＵＩデータが記録されていれば赤外線による非接触通信経路で制御対象電気機器の制御が可能である。
【００１８】
図４は、本発明の実装例である。
【００１９】
図４−１、２はボタン、図４−３はジョグダイアルである。図４−４は、赤外線のインターフェイス（図１−８）であり、図４−５、６はＩＥＥＥ１３９４シリアルバスのインターフェイス（図１−７）である。図４−６は制御対象となる電気機器より取得した制御用ＧＵＩを記録しておく着脱可能記録媒体（図１−２）の挿入口である。図４−７は制御対象電気機器より受信した制御用ＧＵＩを表示するための液晶表示画面である。本実装例では、図４−１、２のボタンと図４−３のジョグダイアルによってＧＵＩの制御が行われる。例えば、図４−３のジョグダイアルを操作すると、ＧＵＩのボタンがそれぞれ強調表示される。制御を行いたいボタンが強調表示されるようジョグダイアルを操作して合わせ、ボタン１もしくは２を押すことによって、選択されたボタンのオブジェクトＩＤが制御対象電気機器にＩＥＥＥ１３９４シリアルバスの通信経路、もしくは非接触の赤外線通信経路で送信され、制御対象電気機器はそのオブジェクトＩＤに応じた動作を実行する。
【００２０】
図５は、制御対象となる電気機器から本発明の遠隔制御装置に送信される制御用ＧＵＩデータのフォーマットである。
【００２１】
図５−１は、遠隔制御装置の表示画面（図４−７）に表示されるＧＵＩ全体を示すオブジェクトＩＤとして規定され常に０である。図５−２、３は遠隔制御装置の表示画面（図４−７）に表示されるＧＵＩ全体の大きさを示している。図５−４はＧＵＩとして表示されるボタンおよびその他のＵＩの総数である。図５−５は、実際の個々のＧＵＩオブジェクトイメージデータである。
【００２２】
図５−６はこのＧＵＩオブジェクトを示すユニークな識別子である。図５−７、８はそのＧＵＩオブジェクトがオブジェクトＩＤ＝０の親ウィンドウ上のどの位置に表示されるかを示している。図５−９はそのオブジェクトが何個のデータを持っているかを示している。例えば、各ＧＵＩオブジェクトは選択、確定時にその表示形態を変更する場合があり、それぞれの状態においてＧＵＩイメージデータを保持する必要がある。図５−１０はどの状態におけるイメージデータかを示しており、図５−１１、１２はそのＧＵＩイメージデータの大きさを示しており、図５−１３はイメージデータのサイズを示しており、図５−１４は実際のイメージデータである。
【００２３】
これらＧＵＩデータは遠隔制御装置側の液晶画面の大きさに応じて変更する必要がある。制御対象となる電気機器は数種類の大きさのＧＵＩを保持しており、遠隔制御装置からのＧＵＩリクエストメッセージ内に示される液晶画面の大きさを確認した上で、それに適した大きさのＧＵＩを送信する。
【００２４】
図６は本発明の動作を示すフロー図である。
【００２５】
図６のフロー図を用いて遠隔制御装置側から能動的に制御を開始する動作を詳細に説明する。
【００２６】
使用者は、まず制御する電気機器（図３−２、３、４、５、６）の方向に遠隔制御装置（図３−１）の赤外線送受光部（図４−４）を向ける。
【００２７】
遠隔制御装置（図３−１）の制御開始ボタン（図４−１ｏｒ２）を押すと、遠隔制御装置は、制御対象の電気機器に対して制御リクエストメッセージを非接触の赤外線通信経路によって送信する（図６−１）。
【００２８】
制御対象となる電気機器（図３−２、３、４、５、６）はリクエストメッセージを受信すると、自分がそのリクエストメッセージに対応して動作可能であるかを判別し、動作可能である場合には、アクセプトメッセージ（図７）を遠隔制御装置に対して赤外線の通信経路によって送信する。自分が動作できないメッセージであった場合には未実装メッセージを送信する。
【００２９】
また他の遠隔制御装置から制御されている場合には、レジェクトメッセージを送信する（図６−２）。
【００３０】
アクセプトメッセージにはＩＥＥＥ１３９４バス上の電気機器の６ビットのノードＩＤ（図７−３）、及びそのノードのユニークな識別子であるＥＵＩ６４（図７−４）が含まれている。図７−１、２は遠隔制御のためのＧＵＩを要求することを示すコードと、それをアクセプトするかレジェクトするか未実装のコマンドかを示すコードが含まれる。
【００３１】
アクセプトメッセージ（図７）を受信すると遠隔制御装置（図３−１）はメッセージパケット内に含まれる、ノードＩＤ（図７−３）とＥＵＩ６４（図７−４）を参照する。
【００３２】
遠隔制御装置（図３−１）はそのノードＩＤに対して、ＩＥＥＥ１３９４の通信経路を介して、制御用ＧＵＩ送信リクエストメッセージ（図８）を送信する（図６−３）。このＧＵＩリクエストメッセージには遠隔制御装置（図３−１）が有する表示画面の大きさおよび表示可能色が含まれる（図８−４、５、６）。
【００３３】
制御対象の電気機器は、ＧＵＩリクエスト（図８）を受信すると、他からの制御がない限り、遠隔制御装置（図３−１）のリクエストに対してアクセプトを１３９４経由で送信する（図６−４）。
【００３４】
遠隔制御装置（図３−１）はアクセプトを受信すると、ＧＵＩを受信するためのセッションを制御対象電気機器と遠隔制御装置（図３−１）の間に確立する。
【００３５】
このデータ伝送は確実に行わなければならない。そこで、ＩＥＥＥ１３９４のＡＶ機器間でのデータ伝送プロトコルである“Ａｓｙｎｃｈｒｏｎｏｕｓ  Ｃｏｎｎｅｃｔｉｏｎ”によってデータ伝送を行う。“Ａｓｙｎｃｈｒｏｎｏｕｓ  Ｃｏｎｎｅｃｔｉｏｎ”はＩＥＥＥ１３９４シリアルバス上においてＡｓｙｎｃｈｒｏｎｏｕｓ  Ｔｒａｎｓａｃｔｉｏｎを用いてデータ転送を行う場合に用いるプロトコルでＩＥＥＥ１３９４の標準化団体であるＩＥＥＥ１３９４  Ｔｒａｄｅ  Ａｓｓｏｃｉａｔｉｏｎにおいて標準的な技術として認定されている（“ＡＶ／Ｃｏｍｍａｎｄｓ  ｆｏｒ  ｍａｎａｇｅｍｅｎｔ  ｏｆ  Ａｓｙｎｃｈｒｏｎｏｕｓ  Ｓｅｒｉａｌ  Ｂｕｓ  Ｃｏｎｎｅｃｔｉｏｎｓ”および“ＡＶ／Ｃｏｍｐａｔｉｂｌｅ  Ａｓｙｎｃｈｒｏｎｏｕｓ  Ｓｅｒｉａｌ  Ｂｕｓ  Ｃｏｎｎｅｃｔｉｏｎｓ”）。
【００３６】
遠隔制御装置（図３−１）は制御対象電気機器に対して、“Ａｓｙｎｃｈｒｏｎｏｕｓ  Ｃｏｎｎｅｃｔｉｏｎ”によってデータ伝送のためのセッションを張る（図６−５）。この際に、転送するデータはＧＵＩデータのみなのでセッション確立のためのコマンドは“Ａｌｌｏｃａｔｅ  Ａｔｔａｃｈ  Ｆｒａｍｅ”（Ｏｘ８３）を制御対象電気機器に対して送信しセッションを確立する（図６−５）。
【００３７】
その後、制御対象電気機器は“Ａｓｙｎｃｈｒｏｎｏｕｓ  Ｃｏｎｎｅｃｔｉｏｎ”によってＧＵＩデータを１３９４経由で送信する（図６−６）。この際に遠隔制御装置（図３−１）に伝送されるＧＵＩデータは遠隔制御装置（図３−１）側の表示画面の大きさにあわせて変更される。
【００３８】
送信されるＧＵＩデータには例えば使用者がＧＵＩ上のボタンを選択した時と、確定したときに表示される画像データも共に送られる。図５に送信ＧＵＩのフォーマットを示す。送信されるＧＵＩデータはすべてのオブジェクト、例えばボタンやテキスト表示ダイアログ等を配置するための親ウィンドウとその各オブジェクトである。親ウィンドウは遠隔制御装置（図３−１）側の表示画面と同じ大きさであり、その座標系にあわせてかく制御用ボタン、テキスト表示ダイアログ等が配置される。
【００３９】
遠隔制御装置（図３−１）はすべてのＧＵＩデータ（図５）をダウンロードすると、表示画面にＧＵＩを表示する。使用者はこのＧＵＩを制御装置に付随するボタン（図４−１、２）やジョグダイアル（図４−３）によって選択操作し、制御対象となる電気機器を操作する。
【００４０】
ダウンロードされた制御用ＧＵＩは遠隔制御装置（図３−１）の記録媒体に記録することができる。制御キャンセルボタンを押すと、そのＧＵＩがまだ記録されていない場合には、記録するか否かの確認メッセージが表示され、確認ボタンを押すと記録媒体（図１−２）に保存される。
【００４１】
制御用ＧＵＩが保存された状態で、再度制御対象の電気機器に遠隔制御装置（図３−１）を向けると、遠隔制御装置（図３−１）は受信したＥＵＩ６４から制御対象の電気機器のＧＵＩをすでに記録媒体（図１−２）内に保存してあることを認識し、記録媒体（図１−２）からＧＵＩ読み出して表示画面に表示し制御を行う。
【００４２】
表示されるＧＵＩには固有のオブジェクトＩＤが割り当てられている。使用者が遠隔制御装置（図３−１）の各オブジェクトを選択・確定すると１３９４を介してオブジェクトＩＤを送信する（図６−７）。制御対象となる電気機器は受信したオブジェクトＩＤに対応した動作を行う。動作が完了もしくは動作準備ができたらアクセプトを送信する（図６−８）。
【００４３】
制御を行う場合に１３９４ケーブルが接続されていない場合は赤外線による通信経路を介してオブジェクトＩＤを送信し、制御対象の電気機器はオブジェクトＩＤに応じた動作を実行する。
【００４４】
図９は制御対象となる電気機器が能動的に通信経路を確立する場合のフロー図である。制御対象となる電気機器は赤外線送受光部より一定間隔でサーチメッセージを送出している（図９−１）。サーチメッセージにはノードＩＤとＥＵＩ６４（図７）が含まれる。
【００４５】
使用者が、その制御対象の電気機器に対して遠隔制御装置（図３−１）を向けると、遠隔制御装置（図３−１）は制御対象となる電気機器からのサーチメッセージを赤外線受光部によって受信する。サーチメッセージを受信した遠隔制御装置（図３−１）はすぐに制御対象の電気機器に対して確認メッセージを赤外線によって送信する（図９−２）。制御装置からの確認メッセージを受信した電気機器はサーチメッセージ（図７）の送信を停止する。
【００４６】
遠隔制御装置（図３−１）は確認メッセージの送信を行った後に、１３９４ケーブルを介して、制御対象の電気機器に対して制御用ＧＵＩリクエストメッセージ（図８）を送信する（図９−３）。リクエストメッセージ（図８）には前述の通り制御装置の表示画面の大きさが記述される（図８−４、５、６）。ＧＵＩリクエスト（図８）を受信した電気機器は、他からの制御がない限りアクセプトを送信する（図９−４）。制御機器はアクセプトを受信したら“Ａｓｙｎｃｈｒｏｎｏｕｓ  Ｃｏｎｎｅｃｔｉｏｎ”を確立（図９−５）して制御用ＧＵＩをダウンロードする（図９−６）。
【００４７】
一方で前述のようにすでに制御装置の記録媒体（図１−２）に制御用のＧＵＩが記録されている場合には、電気機器からのサーチメッセージを受信するとＥＵＩ６４を参照し既に記録されていることを確認すると記録媒体（図１−２）からＧＵＩデータを読み出して表示画面に表示する。
【００４８】
前述のとおり、使用者が遠隔制御装置（図３−１）の各オブジェクトを選択・確定すると１３９４を介してオブジェクトＩＤを送信する（図９−７）。制御対象となる電気機器は受信したオブジェクトＩＤに対応した動作を行う。動作が完了もしくは動作準備ができたらアクセプトを送信する（図９−８）。
【００４９】
制御を行う場合に１３９４ケーブルが接続されていない場合は赤外線による通信経路を介してオブジェクトＩＤを送信し、制御対象の電気機器はオブジェクトＩＤに応じた動作を実行する。
【００５０】
記録媒体（図１−２）に記録保存されたＧＵＩデータは、例えばパーソナルコンピュータ（以降ＰＣ）上の専用アプリケーションで使用者の好みに応じたＧＵＩにカスタマイズできる。図１０はＰＣ上で遠隔制御装置（図３−１）の液晶画面（図４−７）に表示されるＧＵＩデータをＰＣ上でカスタマイズするためのアプリケーション例である。図１０−１はアプリケーションウィンドウで図１０−２は変更するＧＵＩデータである。使用者は図１０−３のように各オブジェクト毎にアイコンイメージを変更して各オブジェクトを再配置することによって好みに応じたＧＵＩを作成することができる。例えば図１０−２を図１０−４のように変更することによって記号のわからない使用者にもそれが何を意味するＧＵＩなのかが理解しやすいように変更できる。このようにカスタマイズしたＧＵＩを再び記録媒体（図１−２）に記録しておくことで、変更したＧＵＩで制御対象となる電気機器が制御可能となる。記録媒体に記録する場合のデータフォーマットはオブジェクトのイメージデータと位置および大きさが変更されるだけである。
【図面の簡単な説明】
【００５１】
【図１】本発明の電気的構成を示すブロック図である。
【図２】本発明によって制御される電気機器に実装されるべき電気的構成を示すブロック図である。
【図３】本発明の遠隔制御装置と制御対象となる電気機器との接続例である。
【図４】本発明の遠隔制御装置の実装例である。
【図５】遠隔制御装置の表示画面に表示されるＧＵＩデータの構造である。
【図６】本発明の遠隔制御装置を能動的に使用する場合の動作フローである。
【図７】制御対象となる電気機器が自分の存在を通知するために送信すべきパケットのフォーマットである。
【図８】遠隔制御装置がＧＵＩを要求する場合に送信するパケットのフォーマットである。
【図９】本発明の遠隔制御装置を受動的に使用する場合の動作フローである。
【図１０】遠隔制御装置に表示されるＧＵＩをカスタマイズするためのＰＣ上でのアプリケーション例である。
【図１】
2006246021.tif 000003
【図２】
2006246021.tif 000004
【図３】
2006246021.tif 000005
【図４】
2006246021.tif 000006
【図５】
2006246021.tif 000007
【図６】
2006246021.tif 000008
【図７】
2006246021.tif 000009
【図８】
2006246021.tif 000010
【図９】
2006246021.tif 000011
【図１０】
2006246021.tif 000012